(57)【要約】  水密性を高めた地下水孔の汚染防止装置が開示される。この地下水孔の汚染防止装置は、地下水を外部に排出する地下水孔を有する第１吸入管２００によって支持された水中モータポンプ２４４の両側部がいずれも、第１吸入管２００に連結された第２吸入管２１０の内側で支持されるという構成を有する。本装置は、吸入管内でモータポンプのバランスを常に保ち、それにより、従来技術のようにモータポンプの片側のみを支持することによって生じるずれを防止するとともに、第２吸入管２１０内に設けられた導管コネクタ２６０の密着性を維持することによって、水漏れを防止し、高い水密性を提供する。
2007529651.tif 000002
【特許請求の範囲】
【請求項１】
地下水孔を形成する第１吸入管と、
当該第１吸入管に連通した状態で連結され、当該第１吸入管の開口を閉鎖する第２吸入管と、
前記第１吸入管内に配置され、地下水を前記吸入管から外部に排出する水中モータポンプと、
前記第２吸入管内に設けられ、前記モータポンプに連結され、当該モータポンプを支持するとともに、当該モータポンプによって汲み上げられた地下水を前記第２吸入管の側部から外部に排出するための排出路を有する導管コネクタと、
当該導管コネクタおよび前記第２吸入管の互いに対向する側面にそれぞれ設けられ、前記導管コネクタを前記第２吸入管にバランスを保った状態で支持する固定手段と、
前記導管コネクタに隣接する部分を介して前記第２吸入管に連通するように、前記吸入管の外周部に設けられ、前記吸入管の内圧を一定に制御する圧力制御部と、を備える地下水孔の汚染防止装置。
【請求項２】
前記固定手段は、前記導管コネクタから突出するとともに、屈曲した先端部を有する第１突起と、前記第２吸入管から突出するとともに、前記第１突起の屈曲した前記先端部に対応し、係合する、屈曲した先端部を有する第１支持突起と、を備える、請求項１に記載の地下水孔の汚染防止装置。
【請求項３】
前記固定手段は、前記導管コネクタから突出するとともに、傾斜した先端部を有する第２突起と、前記第２吸入管から突出するとともに、前記第２突起の傾斜した前記先端部に対応し、面接触する、傾斜した先端部を有する第２支持突起と、を備える、請求項１に記載の地下水孔の汚染防止装置。
【請求項４】
前記圧力制御部は、前記第２吸入管に接続されるとともに、自動吸気弁を有し、前記第１吸入管内の地下水位の低下による真空状態を解放するために、外気を吸入し、前記吸入管内に供給する吸気弁と、前記第２吸入管に前記吸気弁と並列に接続されるとともに、自動弁を有し、前記第１吸入管内の地下水位の上昇による高圧を解放するために、前記吸入管内の高圧状態の内部空気を外部に排出する排気弁と、を備える、請求項１に記載の地下水孔の汚染防止装置。
【請求項５】
前記吸気弁は、前記自動吸気弁に接続されるとともに、第１フロートを有し、外部の水位の上昇に応じて、前記自動吸気弁の開放した空気通路を閉鎖する第１ボール機構と、当該第１ボール機構に接続された耐ガス性フィルタと、をさらに備える、請求項４に記載の地下水孔の汚染防止装置。
【請求項６】
地下水孔を形成する第１吸入管と、
当該第１吸入管に連通した状態で連結され、当該第１吸入管の開口を閉鎖する第２吸入管と、
前記第１吸入管内に配置され、地下水を前記吸入管から外部に排出する水中モータポンプと、
前記第２吸入管内に設けられ、前記モータポンプに連結され、当該モータポンプを支持するとともに、当該モータポンプによって汲み上げられた地下水を前記第２吸入管の側部から外部に排出するための排出路を有する導管コネクタと、
当該導管コネクタおよび前記第２吸入管の互いに対向する側面にそれぞれ設けられ、前記導管コネクタを前記第２吸入管にバランスを保った状態で支持する固定手段と、
前記第２吸入管の上部内に、前記導管コネクタに隣接して設けられ、前記吸入管の内圧を一定に制御するために、前記第２吸入管の内部と外部を接続する第２ボール機構と、を備える地下水孔の汚染防止装置。
【請求項７】
前記固定手段は、前記導管コネクタから突出するとともに、屈曲した先端部を有する第１突起と、前記第２吸入管から突出するとともに、前記第１突起の屈曲した前記先端部に対応し、係合する、屈曲した先端部を有する第１支持突起と、を備える、請求項６に記載の地下水孔の汚染防止装置。
【請求項８】
前記固定手段は、前記導管コネクタから突出するとともに、傾斜した先端部を有する第２突起と、前記第２吸入管から突出するとともに、前記第２突起の傾斜した前記先端部に対応し、面接触する、傾斜した先端部を有する第２支持突起と、を備える、請求項６に記載の地下水孔の汚染防止装置。
【請求項９】
前記第２ボール機構は、前記第２吸入管の内壁面に取り付けられ、当該第２吸入管の内部と外部を接続する空気通路を有する中空のケースと、当該ケース内に配置されるとともに、外周面に形成された多数の穴を有し、外部の水位に応じて、前記ケースの開放した前記空気通路を閉鎖する第２フロートと、を備え、前記穴は前記ケースの前記空気通路に連通している、請求項６に記載の地下水孔の汚染防止装置。
【発明の詳細な説明】
【技術分野】
【０００１】
本発明は、地下水孔の汚染防止装置に関し、特に、バランスの維持により水密性を高めることができる地下水孔の汚染防止装置に関する。
【背景技術】
【０００２】
一般に、当該技術分野で知られているように、飲料用水、農業用水や工業用水の目的のために、地下水汲上げ設備が開発されている。本発明と同じ発明者によって発明された韓国特許１０−０３７１５２０（特許文献１）は、地下水孔の汚染防止装置を開示している。図１および図２は、従来の地下水孔の汚染防止装置を示す断面図である。図１は、従来の地下水孔の汚染防止装置の断面図であり、図２は、図１の「Ｐ」部を示す部分拡大図である。
【０００３】
これらの図面に示すように、この従来の地下水孔の汚染防止装置は、地下の岩盤を貫通して掘削することによって、地中に埋設され、地下水層と連通する地下水孔を形成する第１吸入管１００と、この第１吸入管１００の上部に接続され、水密カバー１２０を有する第２吸入管１１０と、第２吸入管１１０に取り付けられ、第１および第２吸入管１００、１１０内に設けられた水中モータポンプ１４４を支持するコネクタ１６０と、を備えている。コネクタ１６０は、モータポンプ１４４によって汲み上げられた地下水を、地下水配管系１５０を介して排出するための排出路１６２を有する。この地下水配管系１５０は、一体の水量計１５１、圧力計１５２、排水装置１５３および逆止弁１５４を有する。
【０００４】
モータポンプ１４４が作動すると、第１吸入管１００内に集められた地下水が汲み上げられ、次いで、コネクタ１６０および地下水配管系１５０を介して、目標の場所に移送される。参照符号１４０は、コネクタ１６０とモータポンプ１４４の間に、排出路１６２と連通するように設けられた地下水排出管であり、モータポンプ１４４によって汲み上げられた地下水を排出路１６２に導く。
【０００５】
しかし、この従来の地下水孔の汚染防止装置では、コネクタ１６０は、第２吸入管１１０の内側に設けられ、重いモータポンプ１４４の一部のみを支持している。このため、この従来の地下水孔の汚染防止装置は、第２吸入管１１０に取り付けられたコネクタ１６０の一部が、モータポンプ１４４の荷重によって第２吸入管１１０に対してずれることで、水密性を維持できなくなるため、汲み上げられた地下水が、第２吸入管１１０から分岐する排出路１６２から漏れるという欠点がある。
【０００６】
【特許文献１】韓国特許１０−０３７１５２０
【発明の開示】
【発明が解決しようとする課題】
【０００７】
本発明は、従来技術において生じる上記の問題を考慮してなされたものであり、その目的は、吸入管内の水中モータポンプの両側をバランスを保つように支持する構造を採用することによって、水密性を高めることができる地下水孔の汚染防止装置を提供することである。
【０００８】
本発明の他の目的は、吸入管内の水位の変化に応じた内部空気の変化に有効に対処することによって、地下水を円滑に汲み上げることができる地下水孔の汚染防止装置を提供することである。
【０００９】
本発明の別の目的は、吸入管への汚染物の侵入を有効に防止することによって、地下水を安全に管理することができる地下水孔の汚染防止装置を提供することである。
【００１０】
本発明のさらに別の目的は、地中に管を埋設するとともに、吸入管内に配置された水中モータポンプを支持するコネクタを介して、外部への地下水の排出を吸入管の側部から行うことにより、管の凍結を防止することができる地下水孔の汚染防止装置を提供することである。
【課題を解決するための手段】
【００１１】
本発明の第１の態様によれば、地下水孔の汚染防止装置は、地下水孔を形成する第１吸入管と、第１吸入管に連通した状態で連結され、第１吸入管の開口を閉鎖する第２吸入管と、第１吸入管内に配置され、地下水を吸入管から外部に排出する水中モータポンプと、第２吸入管内に設けられ、モータポンプに連結され、モータポンプを支持するとともに、モータポンプによって汲み上げられた地下水を第２吸入管の側部から外部に排出するための排出路を有する導管コネクタと、導管コネクタおよび第２吸入管の互いに対向する側面にそれぞれ設けられ、導管コネクタを第２吸入管にバランスを保った状態で支持する固定手段と、導管コネクタに隣接する部分を介して第２吸入管に連通するように、吸入管の外周部に設けられ、吸入管の内圧を一定に制御する圧力制御部と、を備える。
【００１２】
固定手段は、導管コネクタから突出するとともに、屈曲した先端部を有する第１突起と、第２吸入管から突出するとともに、第１突起の屈曲した先端部に対応し、係合する、屈曲した先端部を有する第１支持突起と、を備える。
【００１３】
また、固定手段は、導管コネクタから突出するとともに、傾斜した先端部を有する第２突起と、第２吸入管から突出するとともに、第２突起の傾斜した先端部に対応し、面接触する、傾斜した先端部を有する第２支持突起と、を備える。
【００１４】
さらに、圧力制御部は、第２吸入管に接続されるとともに、自動吸気弁を有し、第１吸入管内の地下水位の低下による真空状態を解放するために、外気を吸入し、吸入管内に供給する吸気弁と、第２吸入管に吸気弁と並列に接続されるとともに、自動弁を有し、第１吸入管内の地下水位の上昇による高圧を解放するために、吸入管内の高圧状態の内部空気を外部に排出する排気弁と、を備える。
【００１５】
また、吸気弁は、自動吸気弁に接続されるとともに、第１フロートを有し、外部の水位の上昇に応じて、自動吸気弁の開放した空気通路を閉鎖する第１ボール機構と、第１ボール機構に接続された耐ガス性フィルタと、をさらに備える。
【００１６】
本発明の第２の態様によれば、地下水孔の汚染防止装置は、地下水孔を形成する第１吸入管と、第１吸入管に連通した状態で連結され、第１吸入管の開口を閉鎖する第２吸入管と、第１吸入管内に配置され、地下水を吸入管から外部に排出する水中モータポンプと、第２吸入管内に設けられ、モータポンプに連結され、モータポンプを支持するとともに、モータポンプによって汲み上げられた地下水を第２吸入管の側部から外部に排出するための排出路を有する導管コネクタと、導管コネクタおよび第２吸入管の互いに対向する側面にそれぞれ設けられ、導管コネクタを第２吸入管にバランスを保った状態で支持する固定手段と、第２吸入管の上部内に、導管コネクタに隣接して設けられ、吸入管の内圧を一定に制御するために、第２吸入管の内部と外部を接続する第２ボール機構と、を備える。
【００１７】
固定手段は、導管コネクタから突出するとともに、屈曲した先端部を有する第１突起と、第２吸入管から突出するとともに、第１突起の屈曲した先端部に対応し、係合する、屈曲した先端部を有する第１支持突起と、を備える。
【００１８】
また、固定手段は、導管コネクタから突出するとともに、傾斜した先端部を有する第２突起と、第２吸入管から突出するとともに、第２突起の傾斜した先端部に対応し、面接触する、傾斜した先端部を有する第２支持突起と、を備える。
【００１９】
さらに、第２ボール機構は、第２吸入管の内壁面に取り付けられ、第２吸入管の内部と外部を接続する空気通路を有する中空のケースと、ケース内に配置されるとともに、外周面に形成された多数の穴を有し、外部の水位に応じて、ケースの開放した空気通路を閉鎖する第２フロートと、を備え、穴はケースの空気通路に連通している。
【発明を実施するための最良の形態】
【００２０】
以下、図面を参照しながら、好ましい実施形態に関連して、本発明を詳細に説明する。これらの図面では、同じ参照符号は、本発明の同じ構成要素を示している。
【００２１】
図３は、本発明の第１実施形態による地下水孔の汚染防止装置の断面図、図４は、図３の「Ａ」部を示す部分拡大図、図５は、本発明の第１実施形態による地下水孔の汚染防止装置の変形例の断面図、図６は、図５の「Ｂ」部を示す部分拡大図、図７は、図３の「Ｃ」部を示す部分拡大図である。
【００２２】
これらの図面に示すように、第１実施形態による地下水孔の汚染防止装置は、地中に埋設され、地下水層と連通する地下水孔を形成する第１吸入管２００と、第１吸入管２００の上部に一体に溶接され、第１吸入管２００と同じ径とシールタイプの水密カバー２２０を有する第２吸入管２１０と、第１吸入管２００内に設けられるとともに、第１吸入管２００によって支持され、地下水を外部に排出するための水中モータポンプ２４４と、を備えている。第１吸入管２００内に貯められた地下水は、モータポンプ２４４によって汲み上げられ、目標の場所に移送される。モータポンプ２４４に接続された電気ワイヤ２４６を取り付けるためのワイヤ挿入孔２１６は、地中に埋設された第２吸入管２１０に形成されることが好ましい。参照符号２４０は、モータポンプ２４４によって汲み上げられた地下水を外部に導くための揚水管を示し、参照符号２３０は、地下水位測定管に接続された水位計を示す。さらに、参照符号Ｘは、モータポンプ２４４によって汲み上げられた地下水を外部に排出するための地下水配管系を示し、この地下水配管系Ｘは、一体の水量計、圧力計、排水装置(exhalent device) および逆止弁を有する。また、参照符号Ｈは、地下水配管系Ｘを保護するための建物である。
【００２３】
この第１実施形態による地下水孔の汚染防止装置はさらに、導管コネクタ２６０を備えている。この導管コネクタ２６０は、第２吸入管２１０に水密に取り付けられ、モータポンプ２４４に接続されるとともに、モータポンプ２４４によって汲み上げられた地下水を外部に排出するための排出路２６２を有する。導管コネクタ２６０は、逆「Ｌ」字形に形成され、導管コネクタ２６０を揚水管２４０に接続するための第１接続ソケット２６４と、第２吸入管２１０に水密に取り付けられ、第１接続ソケット２６４を外部に連通させる第２接続ソケット２６６を備えている。第１および第２接続ソケット２６４、２６６は、モータポンプ２４４によって汲み上げられた地下水を、内部に形成された排出路２６２を介して外部に排出する。導管コネクタ２６０は、固定手段２７０により、第２吸入管２１０にバランスを保った状態で取り付けられており、揚水管２４０を介して汲み上げられた地下水を、第１接続ソケット２６４の誘導により、第２吸入管２１０の側部から外部に排出することができる。
【００２４】
図４に示すように、固定手段２７０は、導管コネクタ２６０および第２吸入管２１０の互いに対向する側面に、それぞれ設けられており、導管コネクタ２６０を第２吸入管２１０にバランスを保った状態で支持する。固定手段２７０は、導管コネクタ２６０から突出するとともに、傾斜した先端部２７３ａを有する第２突起２７３と、第２吸入管２１０から突出するとともに、第２突起２７３の傾斜した先端部２７３ａに対応し、面接触する、傾斜した先端部２７４ａを有する第２支持突起２７４と、を備えている。これらの第２突起２７３および第２支持突起２７４は、傾斜した先端部２７３ａ、２７４ａを介して、面接触状態で互いに連結され、この面による連結は、モータポンプ２４４の荷重を受ける導管コネクタ２６０の自重によって、安定して維持される。それにより、導管コネクタ２６０は、面接触状態で互いに連結された第２突起２７３および第２支持突起２７４によって、モータポンプ２４４の両側を支持できるとともに、第２吸入管２１０に水密に取り付けられる。特に、第２突起２７３および第２支持突起２７４が面接触状態で互いに連結されていると、導管コネクタ２６０は、傾斜した角度だけ排出路２６２に向かって移動するので、第２吸入管２１０によりぴったりと接触した状態で取り付けられ、それにより、導管コネクタ２６０は、非常に優れた水密性をもつことができる。したがって、本発明によれば、従来技術のように重いモータポンプ２４４の片側のみを支持することによって生じるずれを防止でき、第２吸入管２１０との安定した接触を維持することによって、水漏れを防止することができる。
【００２５】
図５および図６に示すように、固定手段２７０は、導管コネクタ２６０から突出するとともに、下方に屈曲した先端部２７１ａを有する第１突起２７１と、第２吸入管２１０から突出するとともに、第１突起２７１の下方に屈曲した先端部２７１ａに対応し、係合する、屈曲した先端部２７２ａを有する第１支持突起２７２と、を備えてもよい。それにより、導管コネクタ２６０は、第２吸入管２１０に取り付けられるとともに、第１突起２７１と第１支持突起２７２との係合によって、モータポンプ２４４の両側を支持することができる。したがって、本発明によれば、従来技術のように重い水中ポンプ２４４の片側のみを支持することによって生じるずれを防止でき、第２吸入管２１０との安定した接触を維持することによって、水漏れを防止することができる。
【００２６】
また、第１実施形態による地下水孔の汚染防止装置は、吸気弁２８０ａおよび排気弁２８０ｂを備えている。吸気弁２８０ａおよび排気弁２８０ｂは、第２吸入管２１０の側壁に設けられており、水密カバー２２０によってシールされた吸入管２００、２１０の内圧を一定に制御し、維持する役割を果たす。吸気弁２８０ａおよび排気弁２８０ｂは、導管コネクタ２６０に隣接して第２吸入管２１０に連結された管２９０を介して、第２吸入管２１０に接続されている。吸気弁２８０ａおよび排気弁２８０ｂは、管２９０から「Ｔ」字状に分岐する枝管２９０ａ、２９０ｂにそれぞれ接続されることによって、第２吸入管２１０に接続されている。吸気弁２８０ａおよび排気弁２８０ｂは、地下水配管系Ｘを保護するために地上に設置された建物Ｈの内部に設けることが好ましい。
【００２７】
吸気弁２８０ａは自動吸気弁２８２を有しており、この自動吸気弁２８２は、第１吸入管２００内の地下水位の低下による真空状態を解放するために、吸入管２００および２１０内に外気を吸入する。また、排気弁２８０ｂは自動弁を有しており、この自動弁は、第１吸入管２００内の地下水位の上昇による高圧状態を解放するために、吸入管２００および２１０内の高圧状態の内部空気を外部に排出する。
【００２８】
すなわち、モータポンプ２４４が吸入管２００および２１０から地下水を汲み上げていないときには、地下水は、吸入管２００および２１０内に高水位で貯められている。この状態で、モータポンプ２４４が作動し、地下水を汲み上げると、吸入管２００および２１０の内部は、徐々に低下する水位によって、真空状態になる。このような真空状態は、モータポンプ２４４の円滑な汲み上げ動作を妨げる。このとき、吸気弁２８０ａの自動吸気弁２８２が、真空状態を感知し、空気通路を開放することによって、開放した空気通路を介して外気を吸入し、吸入した外気を管２９０を介して吸入管２００および２１０内に供給することにより、吸入管２００および２１０内の真空状態が解放される。このとき、排気弁２８０ｂの空気通路は閉鎖される。
【００２９】
しかし、モータポンプ２４４が地下水を汲み上げていないときには、地下水は、吸入管２００および２１０内に徐々に高水位に貯められる。地下水が吸入管２００および２１０内に徐々に高水位に貯められる間、吸入管２００および２１０内に形成された内部空気が加圧され、その後、吸入管２００および２１０の上部は、高圧状態になる。この高圧状態は、本装置の各構成要素の取付状態に影響を及ぼすので、吸入管２００および２１０から高圧の内部空気を排出するために、排気弁２８０ｂが、閉鎖されていた空気通路を開放する。このとき、吸気弁２８０ａの自動吸気弁２８２の空気通路は閉鎖される。
【００３０】
上述した動作原理により、吸気弁２８０ａおよび排気弁２８０ｂは、水密カバー２２０でシールされた吸入管２００および２１０の内圧を一定に制御し、それにより、各構成要素の取付状態を保護するとともに、モータポンプ２４４の汲み上げを容易にする。吸気弁２８０ａおよび排気弁２８０ｂの作動は、モータポンプ２４４の動作に応じて繰り返される。
【００３１】
さらに、吸気弁２８０ａの自動吸気弁２８２は、第１フロート２８３ａを有する第１ボール機構２８３と、第１ボール機構２８３に接続された耐ガス性（gasproof）フィルタ２８４を備えている。天候の異常な変化時や洪水時に、自動吸気弁２８２の空気通路が開いた状態で自動吸気弁２８２が水没したとしても、水位の上昇による第１フロート２８３ａの作動によって、第１ボール機構２８３が自動吸気弁２８２の開放した空気通路を閉鎖する。それにより、地表水中の汚染物が、自動吸気弁２８２を介して吸入管２００および２１０に侵入するのを防止する。
【００３２】
耐ガス性フィルタ２８４は、自動吸気弁２８２の空気通路が開いている状態で、空気中に浮かんでいる汚染物を濾過し、吸入管２００および２１０への汚染物の流入を防止する役割を果たす。
【００３３】
図８は、本発明の第２実施形態による地下水孔の汚染防止装置の断面図、図９は、図８の「Ｄ」部を示す部分拡大図、図１０は、本発明の第２実施形態による地下水孔の汚染防止装置の変形例の断面図、図１１は、図１０の「Ｅ」部を示す部分拡大図、図１２は、図８の「Ｆ」部を示す部分拡大図、図１３は、本発明の第２実施形態による地下水孔の汚染防止装置のボール機構のフロートの断面図、図１４は、図１２の動作状態を示す部分拡大図である。
【００３４】
これらの図面に示すように、本発明の第２実施形態による地下水孔の汚染防止装置は、第１実施形態による地下水孔の汚染防止装置と同様の構造を有している。すなわち、この第２実施形態による地下水孔の汚染防止装置は、第１実施形態の吸気弁２８０ａおよび排気弁２８０ｂに代えて、第２吸入管２１０の内側に設けられた第２ボール機構３００を有するという点で、第１実施形態による地下水孔の汚染防止装置と異なっており、この構造を除き、第１実施形態と同じ構造を有している。したがって、以下、第２ボール機構３００のみを説明し、第１実施形態と同じ他の構成要素については、説明しないものとする。
【００３５】
第２ボール機構３００は、第２吸入管２１０の内壁面に取り付けられ、第２吸入管２１０の内部と外部を接続する空気通路を有する中空のケース３１０と、ケース３１０内に配置され、外周面に形成された多数の穴３２１を有する第２フロート３２０を備えており、第２フロート３２０は、外部の水位に応じて、ケース３１０の開放した空気通路を閉鎖する。ケース３１０は、第２吸入管２１０の内側で、導管コネクタ２６０よりも上方に設けられることが好ましい。ケース３１０は、その上下の端部に形成された第１通気孔３１１ａ、３１１ｂと、第２吸入管２１０の内部と外部を連通させるために、下側の第１通気孔３１１ｂを第２吸入管２１０の内壁面に外部と連通した状態で固定することによって形成された前記空気通路と、を有している。また、ケース３１０は、中央に第２通気孔３１２ａを有し、ケース３１０の内部を２つの空間に仕切る仕切壁３１２を有しており、第２フロート３２０は、２つの空間のうちの上側の空間に配置されている。
【００３６】
第２フロート３２０は、第１および第２通気孔３１１ａ、３１２ａを閉鎖するのに十分なサイズを有し、ケース３１０内に配置されている。第２通気孔３１２ａが閉鎖された状態では、第２吸入管２１０の通気は、第２フロート３２０の外周面に形成された多数の穴３２１（図１３参照）によって行われる。
【００３７】
したがって、モータポンプ２４４の作動により、吸入管２００および２１０の内部が真空状態にあるときには、外気が、ケース３１０の第１および第２通気孔３１１ｂおよび３１２ａと第２通気孔３１２ａを閉鎖する第２フロート３２０の穴３２１を介し、さらに第１通気孔３１１ａを通って、吸入管２００および２１０内に導入され、それにより、真空状態が解放される。また、モータポンプ２４４の停止によって吸入管２００および２１０の上部に形成された高圧の内部空気は、上記と逆の経路をたどって外部に排出され、それにより、高圧状態が解放される。このような空気の流れは、モータポンプ２４４の動作に応じて繰り返され、水密カバー２２０で閉じられた吸入管２００および２１０の内圧を一定に制御し、それにより、各構成要素の取付状態を保護するとともに、モータポンプ２４４の汲み上げを容易にする。
【００３８】
また、図１４に示すように、本実施形態によれば、天候の異常な変化時や洪水時に、ケース３１０の空気通路が開いた状態で、ケース３１０の空気通路が水没し、第１通気孔３１１ｂを介してケース３１０に水が侵入したとしても、水位の上昇による第２フロート３２０の上昇によって、ケース３１０の第１通気孔３１１ａが閉鎖される。それにより、地表水中の汚染物が、自動吸気弁２８２を介して吸入管２００および２１０に侵入するのを防止する。
【産業上の利用可能性】
【００３９】
上述したように、本発明による地下水孔の汚染防止装置によれば、吸入管内の水中モータポンプの両側をバランス良く支持することによって、水密性を高めることができる。
【００４０】
また、本発明によれば、吸入管内の水位の変化に応じた内部空気の変化に有効に対処することによって、地下水を円滑に汲み上げることができるとともに、吸入管への汚染物の侵入を有効に防止することによって、地下水を安全に管理することができる。さらに、本発明によれば、地中に管を埋設するとともに、吸入管内に配置された水中モータポンプを支持するコネクタを介して、外部への地下水の排出を吸入管の側部から行うことにより、管の凍結を防止することができる。
【００４１】
本発明を、特定の例示的な実施形態に関連して説明したが、本発明は、実施形態によっては限定されず、添付したクレームによってのみ限定される。本発明の範囲および趣旨から逸脱することなく、当業者が実施形態を変更または変形できると認識されるべきである。
【図面の簡単な説明】
【００４２】
【図１】従来の地下水孔の汚染防止装置の断面図である。
【図２】図１の「Ｐ」部を示す部分拡大図である。
【図３】本発明の第１実施形態による地下水孔の汚染防止装置の断面図である。
【図４】図３の「Ａ」部を示す部分拡大図である。
【図５】本発明の第１実施形態による地下水孔の汚染防止装置の変形例の断面図である。
【図６】図５の「Ｂ」部を示す部分拡大図である。
【図７】図３の「Ｃ」部を示す部分拡大図である。
【図８】本発明の第２実施形態による地下水孔の汚染防止装置の断面図である。
【図９】図８の「Ｄ」部を示す部分拡大図である。
【図１０】本発明の第２実施形態による地下水孔の汚染防止装置の変形例の断面図である。
【図１１】図１０の「Ｅ」部を示す部分拡大図である。
【図１２】図１０の「Ｆ」部を示す部分拡大図である。
【図１３】本発明の第２実施形態による地下水孔の汚染防止装置のボール機構のフロートの断面図である。
【図１４】図１２の動作状態を示す部分拡大図である。
【符号の説明】
【００４３】
２００  第１吸入管
２１０  第２吸入管
２４４  モータポンプ
２６０  導管コネクタ
２６２  排出路
２７０  固定手段
２７１  第１突起
２７１ａ  先端部
２７２  第１支持突起
２７２ａ  先端部
２７３  第２突起
２７３ａ  先端部
２７４  第２支持突起
２７４ａ  先端部
２８０ａ  吸気弁
２８０ｂ  排気弁
２８２  自動吸気弁
２８３  第１ボール機構
２８３ａ  第１フロート
２８４  耐ガスフィルタ
３００  第２ボール機構
３１０  ケース
３２０  第２フロート
３２１  穴
【図１】
2007529651.tif 000003
【図２】
2007529651.tif 000004
【図３】
2007529651.tif 000005
【図４】
2007529651.tif 000006
【図５】
2007529651.tif 000007
【図６】
2007529651.tif 000008
【図７】
2007529651.tif 000009
【図８】
2007529651.tif 000010
【図９】
2007529651.tif 000011
【図１０】
2007529651.tif 000012
【図１１】
2007529651.tif 000013
【図１２】
2007529651.tif 000014
【図１３】
2007529651.tif 000015
【図１４】
2007529651.tif 000016
【国際調査報告】
2007529651.tif 000017